(57)【要約】【課題】従来手法の場合、視認性の向上と消費電力の増大とが不可分の関係にある。【解決手段】視認性向上装置として、（ａ）事前に設定した再配分条件を満たす画素を検出する再配分画素検出部と、（ｂ）再配分対象に検出された画素の階調値の一部を周辺画素に再配分する階調値再配分部とを有するものを提案する。この視認性向上装置は、原画像の階調値を画素間で再配分する。このため、画面内のコントラスト差が拡大しても消費電力はほとんど変化しない。【選択図】図１
2008058859.tif 000002
【特許請求の範囲】
【請求項１】
事前に設定した再配分条件を満たす画素を検出する再配分画素検出部と、
再配分対象に検出された画素の階調値の一部を周辺画素に再配分する階調値再配分部と
を有することを特徴とする視認性向上装置。
【請求項２】
請求項１に記載の視認性向上装置において、
前記再配分画素検出部は、各画素に対応する階調値を閾値と比較し、前記閾値より階調値が大きい画素を再配分の対象画素として検出する
ことを特徴とする視認性向上装置。
【請求項３】
請求項１に記載の視認性向上装置において、
前記階調値再配分部は、再配分対象に検出された画素の階調値の一部を表示画面上の水平方向に隣接する画素に再配分する
ことを特徴とする視認性向上装置。
【請求項４】
請求項１に記載の視認性向上装置において、
前記階調値再配分部は、再配分対象に検出された画素の階調値の一部を表示画面上の垂直方向に隣接する画素に再配分する
ことを特徴とする視認性向上装置。
【請求項５】
請求項１に記載の視認性向上装置において、
前記階調値再配分部が再配分する階調値は、高輝度画素の階調値のうち一定比率の階調値を周辺画素に再配分する
ことを特徴とする視認性向上装置。
【請求項６】
請求項５に記載の視認性向上装置において、
前記階調値再配分部は、再分配後の階調値が最大階調値を超えるとき、超える分の階調値を再配分元の画素に戻す
ことを特徴とする視認性向上装置。
【請求項７】
各画素の階調値を記憶するフレームメモリと、
事前に設定した再配分条件を満たす画素を検出する再配分画素検出部と、
再配分対象に検出された画素の階調値の一部を周辺画素に再配分する階調値再配分部と、
再配分後の階調値を表示する表示デバイスと
を有することを特徴とする表示装置。
【請求項８】
請求項７に記載の表示装置において、
前記表示デバイスは、自発光型の表示デバイスである
ことを特徴とする表示装置。
【請求項９】
請求項７に記載の表示装置において、
前記表示デバイスは、有機ＥＬディスプレイである
ことを特徴とする表示装置。
【請求項１０】
各画素の階調値を記憶するフレームメモリと、
事前に設定した再配分条件を満たす画素を検出する再配分画素検出部と、
再配分対象に検出された画素の階調値の一部を周辺画素に再配分する階調値再配分部と、
再配分後の階調値を表示する表示デバイスと
を有することを特徴とする電子機器。
【請求項１１】
事前に設定した再配分条件を満たす画素を検出する処理と、
再配分対象に検出された画素の階調値の一部を周辺画素に再配分する処理と
を有することを特徴とする視認性向上画面生成方法。
【請求項１２】
事前に設定した再配分条件を満たす画素を検出する処理と、
再配分対象に検出された画素の階調値の一部を周辺画素に再配分する処理と、
再配分処理後の映像を画面上に表示する処理と
を有することを特徴とする視認性向上画面表示方法。
【請求項１３】
事前に設定した再配分条件を満たす画素を検出する処理と、
再配分対象に検出された画素の階調値の一部を周辺画素に再配分する処理と
をコンピュータに実行させることを特徴とするコンピュータプログラム。
【発明の詳細な説明】
【技術分野】
【０００１】
この明細書で説明する発明は、表示画面の視認性向上技術に関する。
なお、発明者らが提案する発明は、視認性向上装置、表示装置、電子機器、視認性向上画面生成方法、視認性向上画面表示方法及びコンピュータプログラムとしての側面を有する。
【背景技術】
【０００２】
今日、フラットパネルディスプレイは、様々な電子機器に搭載されている。これに伴い、フラットパネルディスプレイの使用環境も多様化してきている。例えば非常に明るい環境下でフラットパネルディスプレイの画面を見る機会も増えている。
【０００３】
ところで、環境輝度が明るいと、画面の視認性が極端に低下する。このような場合に視認性を高めるには、画面輝度を上げる必要がある。
【０００４】
【特許文献１】特開２００４−１０９１７０号公報  この特許文献には、外光の明るさに応じてピーク輝度を可変制御する手法が開示されている。すなわち、明るい環境下ではピーク輝度を上げ、暗い環境下ではピーク輝度を下げる手法が開示されている。
【発明の開示】
【発明が解決しようとする課題】
【０００５】
しかし、画面輝度を上げると、一般に消費電力が高くなる。特に自発光型のフラットパネルディスプレイの場合、画面輝度の上昇は消費電力の増加に直結する問題がある。
【課題を解決するための手段】
【０００６】
そこで発明者らは、事前に設定した再配分条件を満たす画素を検出する再配分画素検出部と、再配分対象に検出された画素の階調値の一部を周辺画素に再配分する階調値再配分部とを有する視認性向上装置を提案する。
【発明の効果】
【０００７】
発明者らの提案する技術手法の採用により、画面内のコントラスト差を拡大することができる。ただし、コントラスト差の拡大は階調値の再配分により実現されるので、消費電力はほとんど変化しない。このため、消費電力の増加を伴わずに、画面の視認性を高めることができる。
【発明を実施するための最良の形態】
【０００８】
以下、発明に係る視認性向上技術を説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）形態例
（Ａ−１）視認性向上装置の機能構成
図１に、視認性向上装置１の機能構成例を示す。
視認性向上装置１は、フレームメモリ３、視認性向上部５及びフレームメモリ７で構成される。
【００１０】
フレームメモリ３は、実時間で入力される映像信号を一時的に保存する記憶領域である。このフレームメモリ３には、垂直同期タイミング毎に入力される１フレーム分の映像信号が記憶される。
【００１１】
一方、フレームメモリ７は、視認性向上部５で処理された映像信号を保存する記憶領域である。フレームメモリ３とは別にフレームメモリ７を設けることで、視認性向上部５の処理負荷を小さくできる。すなわち、視認性向上部５に処理速度の低いデバイスを用いることができる。
【００１２】
視認性向上部５は、フレームメモリ３に保存された映像信号のうち特定条件を満たす画素部分の階調値の一部を周辺画素に再配分する処理を実行する処理デバイスである。階調値の一部を他の画素に再配分することで、画面全体での階調値の総和を変更することなく、より高輝度の画素を増やすことができる。
【００１３】
図２に、視認性向上部５の内部構成例を示す。視認性向上部５は、再配分画素検出部５１と階調値再配分部５３で構成する。
再配分画素検出部５１は、特定条件を満たす画素を検出する処理デバイスである。この形態例の場合、再配分画素検出部５１は、水平方向についての検出処理と垂直方向についての検出処理を順番に実行する。
【００１４】
なお、再配分画素検出部５１は、水平方向についての検出処理をフレームメモリ３の映像信号に対して実行する。すなわち、水平方向についての検出処理の際、再配分画素検出部５１は、オリジナルの映像信号を検出対象とする。
【００１５】
一方、再配分画素検出部５１は、垂直方向についての検出処理をフレームメモリ７の映像信号に対して実行する。すなわち、垂直方向についての検出処理の際、再配分画素検出部５１は、水平方向についての再配分処理が実行された後の映像信号を検出対象とする。
【００１６】
この形態例の場合、水平方向についての検出処理は、１ライン単位（行単位）で読み出される映像信号について実行する。具体的には、隣接画素が特定条件を満たすか否かを検出することにより実行する。なお、特定条件は、隣接する２つの画素が共に閾値以上の階調値を有することである。
【００１７】
閾値以上の階調値を有することを条件とするのは、再配分の目的が高輝度画素を増やして視認性を高めるためだからであり、他の画素から階調値の一部が分配される側の画素の階調値が小さいと（暗いと）、階調値の分配処理を実行しても高輝度を実現できないためである。
【００１８】
この形態例の場合、検出用の閾値は、最大階調値の１０％程度に設定する。映像信号が８ビットで与えられる場合（最大階調値が“２５５”の場合）、閾値は“２５”に設定する。
【００１９】
また、この形態例の場合、垂直方向についての検出処理は、１ライン単位（列単位）で読み出される映像信号について実行する。具体的には、１画素挟んで隣接する２つの画素が特定条件を満たすか否かを検出することにより実行する。なお、特定条件は、１画素挟んで隣接する２つの画素が共に閾値以上の階調値を有することである。
【００２０】
この形態例の場合、垂直方向についての閾値は、水平方向についての検出処理と同じ値を使用する。すなわち、最大階調値の１０％程度に設定する。
なお、特定条件は、水平方向についての検出処理と垂直方向についての検出処理とで別の条件を使用することもできる。
【００２１】
階調値再配分部５３は、水平方向について検出された特定条件を満たす２つの画素のうち先頭側（左側）の画素の階調値の一部を後方側（右側）の画素の階調値に再配分する処理を実行する。この形態例の場合、左側の画素の階調値の半分を右側の画素に移動する。すなわち、左側の画素の階調値の半分を右側の画素の階調値に加算する。
【００２２】
なお、再配分の目的は、高輝度画素を増やして視認性を高めるためであるので、再配分後の階調値がある程度以上大きくなれば目的を達成する。また、再配分後の階調値が最大階調値を超えても、表示デバイス９はその階調情報を再現することができない。
【００２３】
そこで、階調値再配分部５３は、再配分後の階調値と閾値とを比較し、閾値を超える場合には、超える分の階調値を元の画素に戻す処理を実行する。この形態例の場合、戻し用の閾値は、最大階調値の９０％程度に設定する。映像信号が８ビットで与えられる場合（最大階調値が“２５５”の場合）、閾値は“２３０”に設定する。
【００２４】
また、階調値再配分部５３は、垂直方向について検出された特定条件を満たす２つの画素のうち最上方に位置する画素の階調値の一部を下方に連続する２つの画素の階調値に再配分する処理を実行する。この形態例の場合、最上方に位置する画素の階調値の３分の１を後続する２つの画素にそれぞれ移動する。すなわち、最上方に位置する画素の階調値の３分の１を下方に連続する２つの画素にそれぞれ加算する。
【００２５】
この垂直方向についての再配分処理の場合も、階調値再配分部５３は、再配分後の階調値と閾値とを比較し、閾値を超える場合には、超える分の階調値を元に戻す処理を実行する。
この形態例の場合、垂直方向についての戻し用の閾値は、水平方向についての戻し用の閾値と同じものを使用する。
【００２６】
もっとも、戻し用の閾値は、水平方向についての再配分処理と垂直方向についての再配分処理とで別の条件を使用することもできる。
【００２７】
（Ａ−２）再配分処理
続いて、再配分処理の実行例を説明する。
【００２８】
（ａ）水平方向に対する再配分処理
図３に、水平方向に対する階調値の再配分処理手順例を示す。図３では、各水平ラインの左端からｎ番目に位置する画素をＫn で示す。
【００２９】
なお、パラメータｎは、０から水平ドット数−１の範囲で可変される。また、検出用閾値（下限設定階調値）をＡとし、再配分用閾値（上限設定階調値）をＢで表す。
【００３０】
水平方向に対する階調値の再配分処理を開始した視認性向上部５は、第ｎ番目の画素の階調値Ｋn が下限設定階調値Ａより大きいか否かを判定する（Ｓ１）。
判定処理Ｓ１で否定結果が得られた場合、視認性向上部５は、再配分対象画素でないと判定し、第ｎ番目の画素と第ｎ＋１番目の画素をそれぞれ元の階調値に設定する（Ｓ２）。
【００３１】
この後、視認性向上部５は、設定された各画素の階調値をフレームメモリ７に保存する（Ｓ３）。
次に、視認性向上部５は、パラメータｎが水平ドット数−１以下か否かを判定する（Ｓ４）。
【００３２】
判定処理Ｓ４で否定結果が得られた場合、視認性向上部５は、現在のパラメータｎに２を加算して再び判定処理Ｓ１に戻る（Ｓ５）。一方、判定処理Ｓ４で肯定結果が得られた場合、視認性向上部５は、水平方向に対する再配分処理を終了する。
【００３３】
一方、判定処理Ｓ１で肯定結果が得られた場合、視認性向上部５は、再配分対象画素であると判定する。
この際、視認性向上部５は、第ｎ番目の画素の階調値Ｋn に第ｎ＋１番目の画素の階調値Ｋn+1 の半分を加算すると共に、その加算結果が上限設定階調値Ｂを越えないか否かを判定する（Ｓ６）。
【００３４】
加算結果が上限設定階調値Ｂを越えていない場合（肯定結果の場合）、視認性向上部５は、第ｎ番目の画素の階調値Ｋn を、元の階調値Ｋn に第ｎ＋１番目の画素の階調値Ｋn+1の半分を加算した値に設定する（Ｓ７）。また、視認性向上部５は、第ｎ＋１番目の画素の階調値Ｋn+1
を、元の階調値Ｋn+1 の半分に設定する（Ｓ７）。
【００３５】
この後は、前述の場合と同様、フレームメモリ７に設定された階調値を保存すると共に、現在の画素位置が水平ドット数−１以下か否かを判定する（Ｓ３、Ｓ４）。
ところで、判定処理Ｓ６で否定結果が得られた場合（すなわち、加算結果が上限設定階調値Ｂを越えた場合）、視認性向上部５は、第ｎ番目の画素の再配分後の階調値Ｋn を上限設定階調値Ｂに設定する（Ｓ８）。
【００３６】
また、視認性向上部５は、第ｎ＋１番目の画素の階調値Ｋn+1 を、元の階調値Ｋn+1 の半分に第ｎ番目の画素の階調値を設定する際に上限設定階調値Ｂを越えた分の階調値を加算した値に設定する（Ｓ８）。
この後は、前述の場合と同様、フレームメモリ７に設定された階調値を保存すると共に、現在の画素位置が水平ドット数−１以下か否かを判定する（Ｓ３、Ｓ４）。
【００３７】
（ｂ）垂直方向に対する再配分処理
図４及び図５に、垂直方向に対する階調値の再配分処理手順例を示す。図４及び図５の場合、第ｊ番目の水平ラインの左端からｎ番目に位置する画素をＫn,j で示す。
【００３８】
なお、パラメータｎは、０から水平ドット数−１の範囲で可変され、パラメータｊは、垂直ライン数−３の範囲で可変される。また、検出用閾値（下限設定階調値）をＡとし、再配分用閾値（上限設定階調値）をＢで表す。なお、以下では、第ｊ番目の水平ラインの左端からｎ番目に位置する画素を第（ｎ，ｊ）番目の画素と表記する。
【００３９】
垂直方向に対する階調値の再配分処理を開始した視認性向上部５は、第（ｎ，ｊ）番目の画素の階調値Ｋn,j と第（ｎ，ｊ＋２）番目の画素の階調値Ｋn,j+2 が共に下限設定階調値Ａより大きいか否かを判定する（Ｓ１１）。
【００４０】
判定処理Ｓ１１で否定結果が得られた場合、視認性向上部５は、再配分対象画素でないと判定し、第（ｎ，ｊ）番目、第（ｎ，ｊ＋１）番目及び第（ｎ，ｊ＋２）番目の画素をそれぞれ元の階調値に設定する（Ｓ１２）。
【００４１】
この後、視認性向上部５は、設定された各画素の階調値をフレームメモリ７に保存する（Ｓ１３）。
次に、視認性向上部５は、パラメータｊが垂直ドット数−３か否かを判定する（Ｓ１４）。
【００４２】
判定処理Ｓ１４で否定結果が得られた場合、視認性向上部５は、現在のパラメータｊに１を加算して再び判定処理Ｓ１１に戻る（Ｓ１５）。なお、判定処理Ｓ１４で肯定結果が得られた場合、視認性向上部５は、パラメータｊを０にリセットすると共に（Ｓ１６）、現在のパラメータｎが水平ドット数−１以下か否かを判定する（Ｓ１７）。
【００４３】
判定処理Ｓ１６で否定結果が得られた場合、視認性向上部５は、現在のパラメータｎに１を加算して再び判定処理Ｓ１１に戻る（Ｓ１８）。一方、判定処理Ｓ１７で肯定結果が得られた場合、視認性向上部５は、垂直方向に対する再配分処理を終了する。
【００４４】
ところで、判定処理Ｓ１１で肯定結果が得られた場合、視認性向上部５は、再配分対象画素であると判定する。
この際、視認性向上部５は、第（ｎ，ｊ）番目の画素の階調値Ｋn,j に第（ｎ，ｊ＋１）番目の画素の階調値Ｋn,j+1 の３分の１を加算すると共に、その加算結果が上限設定階調値Ｂを越えないか否かを判定する（Ｓ１９）。
【００４５】
加算結果が上限設定階調値Ｂを越えていない場合（肯定結果の場合）、視認性向上部５は、第（ｎ，ｊ）番目の画素の階調値Ｋn,j を、元の階調値Ｋn,j に第（ｎ，ｊ＋１）番目の画素の階調値Ｋn,j+1 の３分の１を加算した値に設定する（Ｓ２０）。
一方、加算結果が上限設定階調値Ｂを越える場合（否定結果の場合）、視認性向上部５は、第（ｎ，ｊ）番目の画素の階調値Ｋn,j を上限設定階調値Ｂに設定する（Ｓ２１）。
【００４６】
この後、視認性向上部５は、第（ｎ，ｊ＋２）番目の画素の階調値Ｋn,j+2 に第（ｎ，ｊ＋１）番目の画素の階調値Ｋn,j+1 の３分の１を加算すると共に、その加算結果が上限設定階調値Ｂを越えないか否かを判定する（Ｓ２２）。
【００４７】
加算結果が上限設定階調値Ｂを越えていない場合（肯定結果の場合）、視認性向上部５は、第（ｎ，ｊ＋１）番目の画素の階調値Ｋn,j+1 を、元の階調値の３分の１に設定すると共に、第（ｎ，ｊ＋２）番目の画素の階調値Ｋn,j+2 を、元の階調値に第（ｎ，ｊ＋１）番目の画素の階調値Ｋn,j+1
の３分の１を加算した値に設定する（Ｓ２３）。
【００４８】
この後は、前述の場合と同様、フレームメモリ７に設定された階調値を保存すると共に、現在の画素位置が処理範囲内か否かを判定する（Ｓ１３〜Ｓ１８）。
【００４９】
ところで、判定処理Ｓ２２で否定結果が得られた場合（すなわち、加算結果が上限設定階調値Ｂを越えた場合）、視認性向上部５は、第（ｎ，ｊ＋２）番目の画素の階調値Ｋn,j+2 を上限設定階調値Ｂに設定する（Ｓ２４）。
【００５０】
また、視認性向上部５は、第（ｎ，ｊ＋１）番目の画素の階調値Ｋn,j+1 を、元の階調値の３分の１に第（ｎ，ｊ＋２）番目の画素の階調値を設定する際に上限設定階調値Ｂを越えた分の階調値を加算した値に設定する（Ｓ２４）。
【００５１】
この後は、前述の場合と同様、フレームメモリ７に設定された階調値を保存すると共に、現在の画素位置が処理範囲内か否かを判定する（Ｓ１３〜Ｓ１８）。
これら全ての処理の終了後、フレームメモリ７から読み出された映像信号が表示デバイス９に表示される。
【００５２】
（Ａ−３）再配分処理の効果
この形態例で説明した視認性向上装置１に映像信号を入力することにより、コントラスト差の小さい画像をコントラスト差の大きい画像に変換することができ、画像の視認性を向上させることができる。
【００５３】
以下、具体例を用いて再配分処理を説明する。
図６に、入力画像例を示す。図６は、説明の都合上、水平ドット数及び垂直ドット数がいずれも５画素の場合を示す。入力画像は、パターン部分の１５画素が全て同じ中間階調値（グレー）であり、その他の１０画素が黒画素の場合である。
【００５４】
図７に、水平方向の再配分処理が終了した時点でのパターン変化を示す。図７に示すように、再配分の結果、入力画像よりも高輝度に変化する画素と低輝度に変化する画素が４画素ずつ出現し、コントラスト差が拡大していることが分かる。
【００５５】
図８に、左から３列目の画素列について垂直方向の再配分処理が実行された時点のパターン変化を示す。上から４番目の画素の階調値が上から３番目と５番目の各画素に階調値が配分される様子を示す。
【００５６】
図９に、左から５列目の画素列について垂直方向の再配分処理が実行された時点のパターン変化を示す。上から２番目の画素の階調値が上から１番目と３番目の各画素に階調値が配分される様子を示す。
【００５７】
図１０に、全ての再配分処理が終了した後の画像を示す。図１０に示すように、階調値の再配分処理により６つの高輝度画素が出現する。また、この他にも入力時よりも高い輝度に変換された画素が現れる。このように、均一輝度パターンが高輝度画素と低輝度画素の混在したパターンに変換される。
【００５８】
結果として、表示デバイス９の周辺輝度が高い場合でも、高輝度画素が画面内に増えることで表示画面の視認性が向上されることになる。
なお、表示デバイス９は、自発光型の表示デバイスは勿論、非自発光型の表示デバイスにも応用することができる。
【００５９】
例えば有機ＥＬディスプレイ装置、無機ＥＬディスプレイ装置、ＦＥＤディスプレイ装置、ＰＤＰディスプレイ装置その他の自発光表示デバイスの他、液晶ディスプレイ装置、ＤＬＰ（Digital Light Processing）装置その他の非自発光表示デバイスにも適用できる。なお、ディスプレイ装置には、プロジェクタ装置も含まれる。
【００６０】
いずれの場合も、使用環境の照度が高いほど効果的である。特に、自発光型の表示デバイスと組み合わせて使用する場合には、消費電力をほとんど変化させずに視認性を向上できるという効果を最大限享受できる。
【００６１】
なお、非自発光表示デバイスの場合も、バックライトその他の光源輝度を上げずに済む。従って、非自発光表示デバイスの場合にも、視認性の向上に際して消費される電力を抑制する効果を実現できる。
【００６２】
なお、形態例で説明した視認性の向上技術を適用すると原画像の情報が損なわれ、画質が低下することになるので視認性の向上機能は使用者が選択的に実行できることが望ましい。また、この視認性の向上技術は、メニュー画面やテキスト系の情報を表示する場合に特に効果的である。
【００６３】
（Ｂ）実装例
ここでは、前述した視認性向上装置の電子機器への実装例を説明する。
【００６４】
（ａ）自発光表示装置への実装
前述した視認性向上装置１は、図１１に示すように、表示装置１１１内に実装することができる。図１１に示す表示装置１１１は、表示デバイス１１３と視認性向上装置１１５を搭載する。
【００６５】
なお、視認性向上装置１１５は小規模回路にて実現できる。このため、視認性向上装置１１５は、表示デバイス１１３に実装されるＩＣ（integrated circuit）等の一部に格納することもできる。
例えば図１２に示すデバイス構造の表示デバイス１１３の場合、視認性向上装置１１５は、タイミングジェネレータ１２１の一部分に実装することができる。
【００６６】
このように、既存の処理回路の一部に実装すれば、レイアウト変更や実装空間の変更を必要としない。従って、製造コストの面でも有利である。
なお、図１２に示す表示デバイス１１３は、タイミングジェネレータ１２１、データドライバ１２３、スキャンドライバ１２５及び表示パネル１２７で構成される。
【００６７】
タイミングジェネレータ１２１は、映像信号に含まれるタイミング信号に基づいて画面表示に必要な各種のタイミング信号を発生する処理デバイスである。例えば書き込みパルス等を発生する。
【００６８】
データドライバ１２３は、表示パネル５７のデータ線を駆動する回路デバイスである。データドライバ１２３は、各画素の発光輝度を指定する階調値をアナログ電圧値に変換し、データ線に供給する動作を実行する。ここでの階調値が視認性向上装置１１５で処理された後の階調値である。
【００６９】
スキャンドライバ１２５は、階調値を書き込む水平ラインを線順次に選択する回路デバイスである。スキャンドライバ１２５は、タイミングジェネレータ１２１から与えられるタイミング信号に従って選択信号を生成し、表示パネル１２７に出力する。
表示パネル１２７は、マトリクス画素構造を有する周知の表示デバイスである。
【００７０】
（ｂ）画像処理装置
前述した視認性向上装置は、図１３に示すように、表示装置１３１に映像信号を供給する外部装置としての画像処理装置１４１に実装することもできる。
図１３に示す画像処理装置１４１は、画像処理部１４３と視認性向上装置１４５で構成される。なお、画像処理部１４３の処理内容は、搭載されるアプリケーションに依存する。
【００７１】
（ｃ）その他の実装例
視認性向上装置は、前述した装置以外にも各種の電子機器に搭載することができる。なお、ここでの電子機器は、可搬型であるか据え置き型かを問わない。また、表示デバイスは必ずしも電子機器に搭載しなくても良い。
【００７２】
（ｃ１）放送波受信装置
消費電力削減装置は、放送波受信装置に搭載することができる。
図１４に、放送波受信装置の機能構成例を示す。放送波受信装置１５１は、表示パネル１５３、システム制御部１５５、操作部１５７、記憶媒体１５９、電源１６１及びチューナー１６３を主要な構成デバイスとする。
【００７３】
なお、システム制御部１５５は、例えばマイクロプロセッサで構成される。システム制御部１５５は、システム全体の動作を制御する。操作部１５７は、機械式の操作子の他、グラフィックユーザーインターフェースも含む。
【００７４】
記憶媒体１５９は、表示パネル１５３に表示する画像や映像に対応するデータの他、ファームウェアやアプリケーションプログラムの格納領域として用いられる。電源１６１は、放送波受信装置１５１が可搬型の場合にはバッテリー電源を使用する。勿論、放送波受信装置１５１が据え置き型の場合には商用電源を使用する。
【００７５】
チューナー１６３は、到来する放送波の中からユーザーの選局した特定チャネルの放送波を選択的に受信する装置である。
この放送波受信装置の構成は、例えばテレビジョン番組受信機、ラジオ番組受信機、放送波受信機能を搭載する携帯型の電子機器に適用する場合に用いることができる。
【００７６】
（ｃ２）通信装置
図１５は、通信装置に適用する場合の機能構成例である。通信装置１７１は、表示パネル１７３、システム制御部１７５、操作部１７７、記憶媒体１７９、電源１８１及び通信部１８３を主要な構成デバイスとする。
【００７７】
なお、システム制御部１７５は、例えばマイクロプロセッサで構成される。システム制御部１７５は、システム全体の動作を制御する。操作部１７７は、機械式の操作子の他、グラフィックユーザーインターフェースも含む。
【００７８】
記憶媒体１７９は、表示パネル１７３に表示する画像や映像に対応するデータファイルの他、ファームウェアやアプリケーションプログラムの格納領域として用いられる。電源１８１は、通信装置１７１が可搬型の場合にはバッテリー電源を使用する。勿論、通信装置１７１が据え置き型の場合には商用電源を使用する。
【００７９】
通信部１８３は、他機との間でデータを送受信する無線装置である。この通信装置の構成は、例えば据え置き型の電話機、携帯電話機、通信機能を搭載する携帯型の電子機器に適用する場合に用いることができる。
【００８０】
（ｃ３）撮像装置
図１６は、撮像装置に適用する場合の機能構成例である。撮像装置１９１は、表示パネル１９３、システム制御部１９５、操作部１９７、記憶媒体１９９、電源２０１及び撮像部２０３を主要な構成デバイスとする。
【００８１】
なお、システム制御部１９５は、例えばマイクロプロセッサで構成される。システム制御部１９５は、システム全体の動作を制御する。操作部１９７は、機械式の操作子の他、グラフィックユーザーインターフェースも含む。
【００８２】
記憶媒体１９９は、表示パネル１９３に表示する画像や映像に対応するデータファイルの他、ファームウェアやアプリケーションプログラムの格納領域として用いられる。電源２０１は、撮像装置１９１が可搬型の場合にはバッテリー電源を使用する。勿論、撮像装置１９１が据え置き型の場合には商用電源を使用する。
【００８３】
撮像部２０３は、例えばＣＭＯＳセンサーとその出力信号を処理する信号処理部で構成する。この撮像装置の構成は、例えばデジタルカメラ、ビデオカメラ、撮像機能を搭載する携帯型の電子機器等に適用する場合に用いることができる。
【００８４】
（ｃ４）情報処理装置
図１７は、携帯型の情報処理装置に適用する場合の機能構成例である。情報処理装置２１１は、表示パネル２１３、システム制御部２１５、操作部２１７、記憶媒体２１９及び電源２２１を主要な構成デバイスとする。
【００８５】
なお、システム制御部２１５は、例えばマイクロプロセッサで構成される。システム制御部２１５は、システム全体の動作を制御する。操作部２１７は、機械式の操作子の他、グラフィックユーザーインターフェースも含む。
【００８６】
記憶媒体２１９は、表示パネル２１３に表示する画像や映像に対応するデータファイルの他、ファームウェアやアプリケーションプログラムの格納領域として用いられる。電源２２１は、情報処理装置２１１が可搬型の場合にはバッテリー電源を使用する。勿論、情報処理装置２１１が据え置き型の場合には商用電源を使用する。
【００８７】
この情報処理装置の構成は、例えばゲーム機、電子ブック、電子辞書、コンピュータ、測定装置等に適用する場合に用いることができる。なお、測定装置に使用する場合には、センサー（検出デバイス）の検出信号がシステム制御部２１５に入力される。
【００８８】
（Ｃ）その他
（ａ）前述した形態例では、フレームメモリ３及び７をそれぞれ別々に用意する場合について説明した。しかし、視認性向上部５やデバイス間の通信に利用できる処理能力が十分高い場合には、これら２つのフレームメモリを１つのフレームメモリその他の記憶媒体で代用することもできる。
【００８９】
（ｂ）前述した形態例では、下限設定階調値Ａ及び上限設定階調値Ｂをそれぞれ最大階調値の１０％及び９０％に設定する場合について説明した。しかし、各判定用の閾値は、それぞれ他の値を用いることができる。
【００９０】
（ｃ）前述した形態例では、水平方向及び垂直方向の両方向について再配分に適した画素（特定条件を満たす画素）を検出し、検出された画素間で階調値の一部を再配分する場合について説明した。しかし、実際の再配分処理では、水平方向についてのみ又は垂直方向についてのみ検出処理と再配分処理を実行しても良い。
【００９１】
（ｄ）前述した形態例では、水平方向と垂直方向とで再配分に適した画素（特定条件を満たす画素）の検出条件が異なる場合について説明した。すなわち、水平方向については連続する２画素について、垂直方向については１画素を挟んで連続する２画素が下限設定階調値Ａを越えることを検出条件とする場合について説明した。しかし、水平方向と垂直方向とで検出条件を全く同じとしても良い。
【００９２】
（ｅ）前述した形態例では、水平方向と垂直方向とで再配分処理が異なる場合について説明した。すなわち、水平方向については連続する２画素間で階調値を再配分する場合について説明し、垂直方向については連続する３画素間で階調値を再配分する場合について説明した。しかし、水平方向と垂直方向とで同じ再配分処理を実行しても良い。
【００９３】
（ｆ）前述した形態例では、水平方向の再配分処理では２画素、垂直方向の再配分処理では３画素間で階調値を再配分する場合について説明した。
しかし、いずれの方向にも４画素以上の範囲で階調値を再配分しても良い。
【００９４】
（ｇ）前述した形態例では、階調値を２画素間で分配する場合には分配元の階調値の半分、階調値を３画素間で分配する場合には分配元の階調値の３分の１ずつを分配先に与える場合について説明した。
しかし、分配する割合はその他の値でも良く、画素毎に異なる大きさの階調値を再分配しても良い。
【００９５】
（ｈ）前述した形態例では、水平方向及び垂直方向のそれぞれについて再配分に適した画素（特定条件を満たす画素）を検出し、検出方向の画素間でのみ階調値を再配分する場合について説明した。すなわち、１次元の範囲で検出処理と再配分処理を実行する場合について説明した。
【００９６】
しかし、再配分に適した画素（特定条件を満たす画素）の検出処理を２次元的に実行し、ある画素の階調値の一部を２次元の範囲で再配分しても良い。例えば水平方向と垂直方向で３画素×３画素の範囲で特定の条件を満たす場合に、その中央に位置する画素が再配分に適した画素であると判定し、事前に定めた再配分規則に従って各画素の階調値を再配分しても良い。
【００９７】
（ｉ）前述した形態例では、再配分処理に際して上限設定階調値Ｂを越える分の階調値を元の画素に戻す場合について説明した。
しかし、上限設定階調値Ｂを用いなくても良い。
【００９８】
（ｊ）前述した形態例では、水平方向についての検出動作の際、パラメータｎを２画素ずつ更新する場合について説明した。しかし、パラメータｎを１画素又はその他の値ずつ更新しても良い。
【００９９】
同様に、前述した形態例では、垂直方向についての検出動作の際、パラメータｊを１画素ずつ更新する場合について説明した。しかし、パラメータｊを２画素又はその他の値ずつ更新しても良い。
【０１００】
（ｋ）前述の形態例で説明した視認性向上装置は、処理機能の全てをハードウェア又はソフトウェアで実現するだけでなく、ハードウェアとソフトウェアの機能分担により実現することもできる。
【０１０１】
（ｌ）前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１０２】
【図１】視認性向上装置の機能構成例を示す図である。
【図２】視認性向上部の内部構成例を示す図である。
【図３】水平方向に対する階調値の再配分処理手順を示す図である。
【図４】垂直方向に対する階調値の再配分処理手順を示す図である（その１）。
【図５】垂直方向に対する階調値の再配分処理手順を示す図である（その２）。
【図６】入力画像例を示す図である。
【図７】階調値の水平方向に対する再配分結果を示す図である。
【図８】階調値の垂直方向に対する再配分処理の途中経過を示す図である。
【図９】階調値の垂直方向に対する再配分処理の途中経過を示す図である。
【図１０】階調値の再配分処理結果を示す図である。
【図１１】視認性向上装置の表示装置への実装例を示す図である。
【図１２】表示デバイスのデバイス構造例を説明する図である。
【図１３】視認性向上装置の画像処理装置への実装例を説明する図である。
【図１４】視認性向上装置の電子機器への搭載例を説明する図である。
【図１５】視認性向上装置の電子機器への搭載例を説明する図である。
【図１６】視認性向上装置の電子機器への搭載例を説明する図である。
【図１７】視認性向上装置の電子機器への搭載例を説明する図である。
【符号の説明】
【０１０３】
１        視認性向上装置
３        フレームメモリ
５        視認性向上部
７        フレームメモリ
９        表示デバイス
５１      再配分画素検出部
５３      階調値再配分部
【図１】
2008058859.tif 000003
【図２】
2008058859.tif 000004
【図３】
2008058859.tif 000005
【図４】
2008058859.tif 000006
【図５】
2008058859.tif 000007
【図６】
2008058859.tif 000008
【図７】
2008058859.tif 000009
【図８】
2008058859.tif 000010
【図９】
2008058859.tif 000011
【図１０】
2008058859.tif 000012
【図１１】
2008058859.tif 000013
【図１２】
2008058859.tif 000014
【図１３】
2008058859.tif 000015
【図１４】
2008058859.tif 000016
【図１５】
2008058859.tif 000017
【図１６】
2008058859.tif 000018
【図１７】
2008058859.tif 000019